(57)【要約】【課題】ユーザ毎のプライベートなワンタッチダイヤル機能，短縮ダイヤル機能を便利に使用できる通信装置及び通信システムを提供する。【解決手段】ある通信装置１にて、個別ユーザにおけるワンタッチダイヤル機能，短縮ダイヤル機能の登録内容（送信先のファクシミリ番号，アドレス，名称など）が設定された場合、その登録内容はユーザ固有の個人番号と共にＬＡＮ１０を介してサーバ装置２へ送られて格納される。そして、登録に使用した通信装置１以外の他の通信装置１から、ユーザ固有の個人番号がＬＡＮ１０を介してサーバ装置２へ送られると、その個人番号に対応して格納されている登録内容が、その個人番号を送信した通信装置１へ送信され、その登録内容に応じたワンタッチダイヤル機能，短縮ダイヤル機能が実行可能となる。【選択図】　　　　図１
2004140607.tif 000002
【特許請求の範囲】
【請求項１】
ワンタッチダイヤルまたは短縮ダイヤルによって画像データの送信先を設定する通信装置において、装置自身に割り当てられるワンタッチダイヤルまたは短縮ダイヤルと送信先との関係を示す第１情報と、各ユーザに割り当てられるワンタッチダイヤルまたは短縮ダイヤルと送信先との関係を示す第２情報との登録を受け付ける手段と、受け付けられた前記第２情報を、前記各ユーザの個人番号情報と共に、通信網上に送出する手段とを備えることを特徴とする通信装置。
【請求項２】
請求項１記載の通信装置と、該通信装置と通信網を介して情報通信を行う通信処理装置とを備える通信システムであって、前記通信処理装置は、前記通信装置から送出された前記第２情報及び個人番号情報を格納する手段と、前記通信網を介して前記個人番号情報が入力された場合に、入力された前記個人番号情報に対応する前記第２情報を前記通信網上に送出する手段とを有することを特徴とする通信システム。
【請求項３】
前記第２情報を登録する第１通信装置と、前記個人番号情報を入力する第２通信装置とが異なっており、前記第２通信装置による前記個人番号情報の入力によって、前記個人番号情報に対応する前記第２情報を前記通信処理装置から前記第２通信装置へ送出するようにしたことを特徴とする請求項２記載の通信システム。
【発明の詳細な説明】
【０００１】
【発明の属する技術分野】
本発明は、ワンタッチダイヤルまたは短縮ダイヤルによって画像データの送信先を簡易に設定する通信装置、及び、該通信装置を有する通信システムに関し、特に、各ユーザ個別にワンタッチダイヤルまたは短縮ダイヤルと送信先との関係を登録する通信装置、及び、該通信装置を有する通信システムに関する。
【０００２】
【従来の技術】
ファクシミリ装置などの通信装置にあっては、ユーザの利便性を図るために、ワンタッチダイヤル機能，短縮ダイヤル機能を備えておくことが一般的である。ワンタッチダイヤル機能は、ワンタッチダイヤルキーに送信先のダイヤル番号を予め登録しておき、送信の際にユーザが１つのワンタッチダイヤルキーを押すことにより送信先を容易に設定できる機能である。また、短縮ダイヤル機能は、各短縮番号に送信先のダイヤル番号を予め登録しておき、送信の際にユーザが１つの短縮番号を入力することにより送信先を容易に設定できる機能である。
【０００３】
上述したようなワンタッチダイヤル機能，短縮ダイヤル機能は、簡単な操作によって送信先を設定できるので、極めて便利な機能である。このような機能において、ワンタッチダイヤル，短縮ダイヤルと送信先との関係は、各通信装置毎に登録設定されることが一般的であるが、これらの関係を各ユーザ個別に通信装置に登録し、そのユーザ個別の登録内容に応じて各ユーザ毎のワンタッチダイヤル機能，短縮ダイヤル機能を実行することも行われている。
【０００４】
【特許文献１】
特開平５−２７６２７７号公報
【特許文献２】
特開平１０−３２７０１号公報
【０００５】
【発明が解決しようとする課題】
従来のこのようなユーザ毎のプライベートなワンタッチダイヤル機能，短縮ダイヤル機能にあっては、１つの通信装置に対してユーザ個別の登録を行うので、その登録内容（ワンタッチダイヤル，短縮ダイヤルと送信先との関係）は特定の１つの通信装置に対してのみ有効である。よって、プライベートなワンタッチダイヤル機能，短縮ダイヤル機能は、その特定の通信装置でしか行えず、不便であるという問題がある。
【０００６】
本発明は斯かる事情に鑑みてなされたものであり、ユーザ毎のプライベートなワンタッチダイヤル機能，短縮ダイヤル機能を極めて便利に使用できる通信装置及び通信システムを提供することを目的とする。
【０００７】
【課題を解決するための手段】
請求項１に係る通信装置は、ワンタッチダイヤルまたは短縮ダイヤルによって画像データの送信先を設定する通信装置において、装置自身に割り当てられるワンタッチダイヤルまたは短縮ダイヤルと送信先との関係を示す第１情報と、各ユーザに割り当てられるワンタッチダイヤルまたは短縮ダイヤルと送信先との関係を示す第２情報との登録を受け付ける手段と、受け付けられた前記第２情報を、前記各ユーザの個人番号情報と共に、通信網上に送出する手段とを備えることを特徴とする。
【０００８】
請求項２に係る通信システムは、請求項１記載の通信装置と、該通信装置と通信網を介して情報通信を行う通信処理装置とを備える通信システムであって、前記通信処理装置は、前記通信装置から送出された前記第２情報及び個人番号情報を格納する手段と、前記通信網を介して前記個人番号情報が入力された場合に、入力された前記個人番号情報に対応する前記第２情報を前記通信網上に送出する手段とを有することを特徴とする。
【０００９】
請求項３に係る通信システムは、請求項２において、前記第２情報を登録する第１通信装置と、前記個人番号情報を入力する第２通信装置とが異なっており、前記第２通信装置による前記個人番号情報の入力によって、前記個人番号情報に対応する前記第２情報を前記通信処理装置から前記第２通信装置へ送出するようにしたことを特徴とする。
【００１０】
本発明にあっては、ワンタッチダイヤルまたは短縮ダイヤルと送信先との関係を登録する際に、通信装置における全ユーザ共通の登録か、個別ユーザにおけるプライベートな登録かを選択する。個別ユーザについての登録である場合には、設定した登録内容（電話番号，アドレス，送信先名など）を一旦通信装置内に保存し、保存した登録内容と、各ユーザ固有の個人番号情報とを、通信網を介して、サーバとなる通信処理装置へ送信する。通信処理装置は、この登録内容を個人番号情報と共に内部に格納する。
【００１１】
そして、通信装置から個人番号情報が通信網を介して通信処理装置に入力された場合、通信処理装置に格納されている、その個人番号情報に対応した登録内容が、通信網を介して通信装置へダウンロードされて、通信装置内のメモリ領域に書き込まれる。この結果、登録内容がダウンロードされた通信装置にて、その登録内容に基づくワンタッチダイヤル機能，短縮ダイヤル機能が行われる。
【００１２】
このように、ある通信装置で設定した登録内容を通信処理装置に格納しておき、必要があれば、登録を行った通信装置とは異なる別の通信装置へその登録内容をダウンロードするようにしており、通信網に接続された任意の通信装置にて、予め設定しておいた登録内容によるワンタッチダイヤル機能，短縮ダイヤル機能を行えて、各ユーザ毎のプラーベートなこれらの機能を便利に使用できる。
【００１３】
【発明の実施の形態】
以下、本発明をその実施の形態を示す図面を参照して具体的に説明する。
図１は、本発明に係る通信システムの構成を示す模式図である。図１において、１０は通信網としてのＬＡＮ（Ｌｏｃａｌ　Ａｒｅａ　Ｎｅｔｗｏｒｋ）を示し、ＬＡＮ１０には、原稿を読み取って画像データを得る読取装置としての機能、読み取った画像データまたは受信した画像データに応じた画像を記録する記録装置としての機能、及び、読み取った画像データまたは受信した画像データをＬＡＮ１０または公衆電話回線網（ＰＳＴＮ：Ｐｕｂｌｉｃ　Ｓｗｉｔｃｈｅｄ　Ｔｅｌｅｐｈｏｎｅ　Ｎｅｔｗｏｒｋ）を介してファクシミリ送信する送信装置としての機能を併せ持ったファクシミリ複合装置である本発明の通信装置１，１…が接続されている。
【００１４】
また、ＬＡＮ１０には、これらの通信装置１以外に、各通信装置１で設定した後述するワンタッチダイヤル機能，短縮ダイヤル機能の登録内容（送信先のファクシミリ番号，アドレス，名称など）を格納する本発明の通信処理装置としてのサーバ装置２が接続されている。各通信装置１は、ＰＳＴＮによって複数のファクシミリ装置３，３…と接続される。
【００１５】
このような通信システムを利用して、本発明における各ユーザ毎のプラーベートなワンタッチダイヤル機能，短縮ダイヤル機能を実行する。ある通信装置１にて、個別ユーザにおけるワンタッチダイヤル機能，短縮ダイヤル機能の登録内容（送信先のファクシミリ番号，アドレス，名称など）が設定された場合、その設定された登録内容は固有の個人番号と共にＬＡＮ１０を介してサーバ装置２へ送られて格納される。そして、登録に使用した通信装置１またはこれ以外の他の通信装置１から、ユーザ固有の個人番号がＬＡＮ１０を介してサーバ装置２へ送られると、その個人番号に対応して格納されている登録内容が、その個人番号を送信した通信装置１へダウンロードされ、その登録内容に応じたワンタッチダイヤル機能，短縮ダイヤル機能が実行可能となる。
【００１６】
図２は、本発明の通信装置１の構成を示すブロック図である。通信装置１は、主制御部１１，読取部１２，記録部１３，表示部１４，操作部１５，符号化・復号化部１６，ＲＯＭ１７，ＲＡＭ１８，画像メモリ１９，保存メモリ２０，モデム２１，ＮＣＵ（Ｎｅｔｗｏｒｋ　Ｃｏｎｔｒｏｌ　Ｕｎｉｔ）２２，ＬＡＮインタフェース２３等を備えている。
【００１７】
主制御部１１は、具体的にはＣＰＵで構成されており、バス２４を介して通信装置１の上述したようなハードウェア各部と接続されていて、それらを制御すると共に、ＲＯＭ１７に格納されたコンピュータプログラムに従って、種々のソフトウェア的機能を実行する。
【００１８】
読取部１２は、例えばＣＣＤを利用したスキャナであって、読み取った原稿の画像データを出力する。記録部１３は、電子写真方式のプリンタ装置であって、読取部１２にて読み取った画像データ、各装置からＬＡＮ１０またはＰＳＴＮを介して送られる画像データなどに応じた画像をハードコピーとしてプリントアウトする。表示部１４は、液晶表示装置またはＣＲＴディスプレイ等の表示装置であり、通信装置１の動作状態を表示したり、記録または送信すべく読取部２で読み取った画像データ、各装置からＬＡＮ１０またはＰＳＴＮを介して受信した画像データなどの表示を行う。また、表示部１４は、ワンタッチダイヤル機能，短縮ダイヤル機能の登録内容も表示する。
【００１９】
操作部１５は、通信装置１を操作するために、また、ユーザの操作入力を受け付けるために必要な各種のキーを備えている。具体的に、操作部１５は、文字キー１５ａ，テンキー１５ｂ，ワンタッチダイヤルキー１５ｃ，短縮ダイヤルキー１５ｄ，プライベート指定キー１５ｅ，各種のファンクションキー等を備えている。そして、ＬＡＮ１０またはＰＳＴＮを介して画像データを他装置へ送信する際に、これらのキーを用いて簡便に送信先を指定するワンタッチダイヤル機能，短縮ダイヤル機能が実行される。また、このワンタッチダイヤル機能，短縮ダイヤル機能の登録内容の設定は、ユーザによる操作部１５の各種のキー操作によって行われる。なお、表示部１４をタッチパネル方式とすることにより、操作部１５の各種のキーの内の一部または全部を代用することも可能である。
【００２０】
符号化・復号化部１６は、画像データを圧縮符号化すると共に、圧縮符号化されているデータを元の画像データに復号化する。ＲＯＭ１７は、通信装置１の動作に必要な種々のソフトウェアのプログラムを予め格納している。ＲＡＭ１８は、ＳＲＡＭまたはフラッシュメモリ等で構成され、ソフトウェアの実行時に発生する一時的なデータを記憶する。また、ＲＡＭ１８は、通信装置１における全ユーザ共通のワンタッチダイヤル機能，短縮ダイヤル機能の登録内容（送信先のファクシミリ番号，アドレス，名称など）の情報（第１情報）を格納する。画像メモリ１９は、ＤＲＡＭ等で構成され、圧縮符号化された画像データを格納する。
【００２１】
保存メモリ２０は、操作入力された個別ユーザのワンタッチダイヤル機能，短縮ダイヤル機能の登録内容（送信先のファクシミリ番号，アドレス，名称など）の情報（第２情報）を一時的に保存したり、サーバ装置２からダウンロードされた個別ユーザのワンタッチダイヤル機能，短縮ダイヤル機能の登録内容（送信先のファクシミリ番号，アドレス，名称など）の情報（第２情報）を一時的に保存する。
【００２２】
モデム２１は、バス２４に接続されており、ファクシミリ通信が可能なファクスモデムから構成されている。また、モデム２１は、同様にバス２４に接続されたＮＣＵ２２と直接的に接続されている。ＮＣＵ２２は、ＰＳＴＮの閉結及び開放の動作を行うハードウェアであり、必要に応じてモデム２１を電話回線と接続する。ＬＡＮインタフェース２３は、回線ＬによりＬＡＮ１０に接続され、ＬＡＮ１０に接続された各装置との間でデータのやりとりを行う。
【００２３】
本発明の通信システム及び通信装置１は、以上の如きハードウェア構成を有しており、ワンタッチダイヤル機能及び短縮ダイヤル機能を実行する。このワンタッチダイヤル機能及び短縮ダイヤル機能には、全ユーザ共通のものと各ユーザ固有のものとが存在する。操作部１５を介してワンタッチダイヤル機能または短縮ダイヤル機能を登録する際に、通信装置における全ユーザ共通の登録か、各ユーザ固有の登録かを選択する。
【００２４】
全ユーザ共通の登録である場合には、その設定された登録内容はＲＡＭ１８に格納される。この登録内容が各通信装置１毎で変更可能であることは勿論である。一方、各ユーザ固有の登録である場合、その設定された登録内容はそのユーザを特定するための個人番号と共に、一旦保存メモリ２０に保存される。そして、これらの保存された登録内容及び個人番号は、ＬＡＮ１０を介してサーバ装置２へ送信されて格納される。ＬＡＮ１０に接続されている通信装置１から個人番号が送信された場合に、その個人番号に対応してサーバ装置２に格納されている登録内容が、個人番号を送信した通信装置１へダウンロードされて、その通信装置１内の保存メモリ２０に保存される。そして、このダウンロードされた登録内容に応じたワンタッチダイヤル機能，短縮ダイヤル機能が実行される。
【００２５】
次に、動作について説明する。図３，図４は、本発明の通信装置１の処理動作の手順を示すフローチャートであり、図３はワンタッチダイヤル機能，短縮ダイヤル機能の登録内容の設定処理、図４はワンタッチダイヤル機能，短縮ダイヤル機能を用いた画像データの送信処理を夫々示している。
【００２６】
登録すべきワンタッチダイヤル，短縮ダイヤルが操作部１５を介して指定されたことを検知した場合（ステップＳ１）、主制御部１１は、その登録がユーザ固有のもの（プライベートなもの）であるか否かを、プライベート指定キー１５ｅの押下の有無に基づいて判断する（ステップＳ２）。ユーザ固有の登録でない場合（Ｓ２：ＮＯ）、即ち、全ユーザ共通の登録である場合には、操作部１５を介して設定される送信先のファクシミリ番号，アドレス及び名称を、指定されたワンタッチダイヤルまたは短縮ダイヤルに対応付けて、ＲＡＭ１８に登録する（ステップＳ１０，Ｓ１１及びＳ１２）。
【００２７】
一方、ユーザ固有の登録である場合（Ｓ２：ＹＥＳ）、主制御部１１は、ユーザを特定する個人番号の入力を操作部１５を介して受け付け（ステップＳ３）、受け付けた個人番号を保存メモリ２０に保存する（ステップＳ４）。また、操作部１５を介して設定される送信先のファクシミリ番号，アドレス及び名称を、指定されたワンタッチダイヤルまたは短縮ダイヤルに対応付けて、保存メモリ２０に保存する（ステップＳ５，Ｓ６及びＳ７）。主制御部１１は、指定したワンタッチダイヤルまたは短縮ダイヤルを、ＬＡＮ１０を介してサーバ装置２へ送信し、サーバ装置２のフォルダに格納させる（ステップＳ８）。また、主制御部１１は、保存された登録内容（送信先のファクシミリ番号，アドレス及び名称）を、ＬＡＮ１０を介してサーバ装置２へ送信し、サーバ装置２のフォルダに格納させる（ステップＳ９）。
【００２８】
主制御部１１は、登録処理を継続するか否かを判断し（ステップＳ１３）、継続する場合には（Ｓ１３：ＹＥＳ）、Ｓ１に動作が戻って上述した処理を繰り返す。継続しない場合には（Ｓ１３：ＮＯ）、そのまま動作が終了する。
【００２９】
送信処理時には、主制御部１１は、その送信処理でのワンタッチダイヤル機能，短縮ダイヤル機能がユーザ固有のものに指定されているか否かを判断する（ステップＳ２１）。ユーザ固有のものでない場合（Ｓ２１：ＮＯ）、即ち、全ユーザ共通のものである場合に、主制御部１１は、送信先を設定するワンタッチダイヤルまたは短縮ダイヤルの選択を受け付け（ステップＳ２８）、選択されたワンタッチダイヤルまたは短縮ダイヤルを利用して、所望の送信先への画像データの送信処理を実行する（ステップＳ２９）。
【００３０】
一方、ユーザ固有のものである場合に（Ｓ２１：ＹＥＳ）、主制御部１１は、個人番号の入力を操作部１５を介して受け付けると共に（ステップＳ２２）、送信先を特定するワンタッチダイヤルまたは短縮ダイヤルの選択を受け付ける（ステップＳ２３）。主制御部１１は、受け付けた個人番号をＬＡＮ１０を介してサーバ装置２へ送信する（ステップＳ２４）。
【００３１】
主制御部１１は、受け付けた個人番号がサーバ装置２に格納されている個人番号と一致し、しかも、その個人番号に対応して、選択されたワンタッチダイヤルまたは短縮ダイヤルにおける登録内容（送信先のファクシミリ番号，アドレス及び名称）が格納されているか否かを、サーバ装置２とのデータのやり取りによって判断する（ステップＳ２５）。個人番号が一致しない、または、選択されたワンタッチダイヤルまたは短縮ダイヤルにおける登録内容が格納されていない場合には（Ｓ２５：ＮＯ）、「該当する登録内容がサーバ装置２に存在しない」旨を、表示部１４に表示して（ステップＳ３０）、動作を終了する。
【００３２】
個人番号が一致し、しかも、該当する登録内容がサーバ装置２に存在する場合（Ｓ２５：ＹＥＳ）、主制御部１１は、その個人番号に対応して格納されているワンタッチダイヤルまたは短縮ダイヤルにおける登録内容（送信先のファクシミリ番号，アドレス及び名称）をサーバ装置２からダウンロードする（ステップＳ２６）。そして、ダウンロードされた登録内容に応じて、選択されたワンタッチダイヤルまたは短縮ダイヤルを利用して、所望の送信先への画像データの送信処理を実行し（ステップＳ２７）、動作を終了する。
【００３３】
【発明の効果】
以上のように本発明では、ある通信装置で設定した一人のユーザのワンタッチダイヤル機能，短縮ダイヤル機能における登録内容をサーバ装置に格納しておき、必要があれば、設定登録を行った通信装置とは異なる別の通信装置へその登録内容をダウンロードするようにしたので、ＬＡＮに接続された任意の通信装置にて、予め設定しておいた登録内容によるワンタッチダイヤル機能，短縮ダイヤル機能を行えて、各ユーザ毎におけるプラーベートなこれらの機能を便利に使用することができる。
【図面の簡単な説明】
【図１】本発明に係る通信システムの構成を示す模式図である。
【図２】本発明の通信装置の構成を示すブロック図である。
【図３】本発明の通信装置におけるワンタッチダイヤル機能，短縮ダイヤル機能の登録内容の設定処理の動作手順を示すフローチャートである。
【図４】本発明の通信装置におけるワンタッチダイヤル機能，短縮ダイヤル機能を用いた画像データの送信処理の動作手順を示すフローチャートである。
【符号の説明】
１　通信装置
２　サーバ装置（通信処理装置）
１０　ＬＡＮ（通信網）
１１　主制御部
１５　操作部
１７　ＲＯＭ
１８　ＲＡＭ
１９　画像メモリ
２０　保存メモリ
２１　モデム
２２　ＮＣＵ
２３　ＬＡＮインタフェース
【図１】
2004140607.tif 000003
【図２】
2004140607.tif 000004
【図３】
2004140607.tif 000005
【図４】
2004140607.tif 000006